(57)【特許請求の範囲】
【請求項１】
第１面及び前記第１面の裏面となる第２面を有する基板と、
前記基板の前記第１面に設けられたＬＥＤと、
前記基板の前記第２面と接するように設けられた放熱部と、
前記基板、前記ＬＥＤ及び前記放熱部を収容する筐体と、
前記筐体において前記基板の前記第１面から前記第２面に向かう方向の端部に設けられた口金と、
を含み、
前記放熱部は、
前記基板の前記第２面と接する第１接触面と、
前記第１接触面よりも前記口金に近づく方向に延出され、前記筐体と密着するように設けられた第１延出部と、
前記第１接触面の裏面側であって、前記口金側から見て前記第１延出部よりも前記放熱部の中心から遠い位置で前記筐体と接する第２接触面と、
を有する、ＬＥＤランプ。
【請求項２】
請求項１に記載のＬＥＤランプにおいて、
前記放熱部は、
前記第２接触面よりも前記口金から遠ざかる方向に延出された第２延出部を有する、ＬＥＤランプ。
【請求項３】
請求項２に記載のＬＥＤランプにおいて、
前記放熱部は、
第１板状部と、前記第１板状部の外周の少なくとも一部に設けられた前記第１延出部と、を有する第１放熱部と、
前記第１接触面及び前記第２接触面を有し、前記第１板状部と接するように設けられた第２板状部と、前記第２板状部の外周の少なくとも一部に設けられた前記第２延出部と、を有する第２放熱部と、
を含む、ＬＥＤランプ。
【請求項４】
請求項１ないし３のいずれか１項に記載のＬＥＤランプにおいて、さらに、
前記筐体に収容され、前記ＬＥＤに電力を供給する電源部を含み、
前記筐体は、樹脂材料で形成されている、ＬＥＤランプ。
【請求項５】
請求項１ないし４のいずれか１項に記載のＬＥＤランプにおいて、
前記放熱部は、前記筐体の肉厚が最小となる部分と接する、ＬＥＤランプ。
【請求項６】
請求項１ないし５のいずれか１項に記載のＬＥＤランプにおいて、
前記放熱部は、金属材料で形成されている、ＬＥＤランプ。
【請求項７】
請求項１ないし６のいずれか１項に記載のＬＥＤランプにおいて、
前記筐体は、外側面に複数のフィンが形成されている、ＬＥＤランプ。
【発明の詳細な説明】
【技術分野】
【０００１】
本発明は、ＬＥＤ（Light Emitting Diode）を光源に使用したＬＥＤランプに関する。
【背景技術】
【０００２】
近年、環境意識の高まりから、省電力化に優れたＬＥＤを光源に使用したＬＥＤ電球が盛んに用いられるようになってきた。特に最近は、明るいＬＥＤ電球が求められるようになってきており、そのため使用されるＬＥＤも出力の大きなものが使用されるようになってきた。これに伴ってＬＥＤの発熱が問題になってきており、熱に比較的弱いＬＥＤに対して、いかに効率的に放熱するかが重要なポイントとなってきた。そのため、外側のケースに放熱性に優れた冷却フィン付きのヒ−トシンクを形成し、この放熱対策を施したＬＥＤ電球が提案されるようになってきた。この種のＬＥＤ電球として、特開２０１０−４０２２１号公報に示されるような電球形ランプがあった。【０００３】
特開２０１０−４０２２１号公報に記載されている電球形ランプは、一端側の面に発光素子が設けられた基板と、一端に基板の他端側の面が取付けられ、基板の発光素子から伝達される熱を放熱する複数の放熱フィンが設けられた放熱体と、基板を覆って放熱体の一端に取付けられたグローブと、放熱体の他端に設けられた口金と、放熱体と口金との間に収容され、発光素子を点灯させる点灯回路と、放熱体の他端側に回転可能に設けられ、少なくとも放熱フィンを通気路の一部として放熱体の内部を通気させるファンと、を具備していることを特徴とするものである。
【発明の概要】
【発明が解決しようとする課題】
【０００４】
しかしながら、特開２０１０−４０２２１号公報に記載されている電球形ランプでは、冷却用のファンを装備しなければならず、構造が複雑になると共にコストの高いものとなっていた。【０００５】
本発明は、以上のような問題点に鑑みてなされたものであり、本発明のいくつかの態様によれば、冷却用のファンを用いることなく放熱性を高めたＬＥＤランプを提供することができる。
【課題を解決するための手段】
【０００６】
（１）本発明に係るＬＥＤランプは、
第１面及び前記第１面の裏面となる第２面を有する基板と、
前記基板の前記第１面に設けられたＬＥＤと、
前記基板の前記第２面と接するように設けられた放熱部と、
前記基板、前記ＬＥＤ及び前記放熱部を収容する筐体と、
前記筐体において前記基板の前記第１面から前記第２面に向かう方向の端部に設けられた口金と、
を含み、
前記放熱部は、
前記基板の前記第２面と接する第１接触面と、
前記第１接触面よりも前記口金に近づく方向に延出され、前記筐体と接するように設けられた第１延出部と、
を有する。【０００７】
本発明において、「接する」とは、部材同士が直接接触する場合のみならず、部材同士が接着剤等によって接着されている場合も含む。【０００８】
本発明によれば、ＬＥＤで発生した熱を、第１延出部を介して筐体に拡散できるので、筐体を介して外部に放熱できる。特に、口金側が上となるような使用形態においては、熱が移動しやすい方向に第１延出部が延びているので、放熱性の高いＬＥＤランプを実現できる。【０００９】
（２）このＬＥＤランプにおいて、
前記放熱部は、
前記第１接触面の裏面側であって、前記口金側から見て前記第１延出部よりも前記放熱部の中心から遠い位置で前記筐体と接する第２接触面を有していてもよい。【００１０】
本発明によれば、第２接触面を有することによって、放熱部と筐体との接触面積が大きくなるので、より効果的に放熱できる。また、第１延出部よりも放熱部の中心から遠い位置で放熱部と筐体とが接することによって、電球形ランプの形状により適した構造となる。【００１１】
（３）このＬＥＤランプにおいて、
前記放熱部は、
前記第２接触面よりも前記口金から遠ざかる方向に延出された第２延出部を有していてもよい。【００１２】
本発明によれば、第２延出部を有することによって、放熱部の熱容量を大きくすることができるので、ＬＥＤで発生した熱を第２延出部で蓄熱することができる。したがって、ＬＥＤの温度が上昇することを抑制できる。また、第２延出部を口金から遠ざかる方向に延出された構造とすることによって、電球形ランプの形状により適した構造となる。【００１３】
（４）このＬＥＤランプにおいて、
前記放熱部は、
第１板状部と、前記第１板状部の外周の少なくとも一部に設けられた前記第１延出部と、を有する第１放熱部と、
前記第１接触面及び前記第２接触面を有し、前記第１板状部と接するように設けられた第２板状部と、前記第２板状部の外周の少なくとも一部に設けられた前記第２延出部と、を有する第２放熱部と、
を含んでいてもよい。【００１４】
本発明によれば、放熱部をプレス加工によって容易に形成できる。【００１５】
（５）このＬＥＤランプにおいて、さらに、
前記筐体に収容され、前記ＬＥＤに電力を供給する電源部を含み、
前記筐体は、樹脂材料で形成されていてもよい。【００１６】
本発明によれば、樹脂材料で形成された筐体は熱伝導率が低いので、ＬＥＤで発生した熱が電源部に伝わることを抑制できる。したがって、電源部の温度が上昇することを抑制できる。【００１７】
（６）このＬＥＤランプにおいて、
前記放熱部は、前記筐体の肉厚が最小となる部分と接していてもよい。【００１８】
本発明によれば、放熱部の熱を、筐体を介して外部に放熱しやすくなるので、放熱性をさらに高めることができる。【００１９】
（７）このＬＥＤランプにおいて、
前記放熱部は、金属材料で形成されていてもよい。【００２０】
本発明によれば、金属材料で形成された放熱部は熱伝導率が高いので、ＬＥＤから発生した熱を速やかに放熱できる。【００２１】
（８）このＬＥＤランプにおいて、
前記筐体は、外側面に複数のフィンが形成されていてもよい。【００２２】
本発明によれば、複数のフィンが形成されることによって筐体の外側面の表面積が大きくなるので、放熱性をさらに高めることができる。
【図面の簡単な説明】
【００２３】
【図１】図１は、本実施形態に係るＬＥＤランプ１００の構成を説明するための断面図である。
【図２】図２は、本実施形態に係るＬＥＤランプ１００の構成を説明するための他の断面図である。
【図３】図３は、本実施形態に係るＬＥＤランプ１００の構成を説明するための分解斜視図である。
【図４】図４は、本実施形態に係るＬＥＤランプ１００の筐体１０の構成を説明するための斜視図である。
【図５】図５は、実施例及び比較例におけるＬＥＤの温度の時間変化を示すグラフである。
【発明を実施するための形態】
【００２４】
以下、本発明の好適な実施形態について図面を用いて詳細に説明する。なお、以下に説明する実施の形態は、特許請求の範囲に記載された本発明の内容を不当に限定するものではない。また以下で説明される構成の全てが本発明の必須構成要件であるとは限らない。
【００２５】
１．本実施形態に係るＬＥＤランプの構成
図１は、本実施形態に係るＬＥＤランプ１００の構成を説明するための断面図である。図２は、本実施形態に係るＬＥＤランプ１００の構成を説明するための他の断面図である。図３は、本実施形態に係るＬＥＤランプ１００の構成を説明するための分解斜視図である。図４は、本実施形態に係るＬＥＤランプ１００の筐体１０の構成を説明するための斜視図である。本実施形態においては、ＬＥＤランプ１００が電球形ランプである場合を例にとり説明する。
【００２６】
本実施形態に係るＬＥＤランプ１００は、第１面２１及び第１面２１の裏面となる第２面２２を有する基板２と、基板２の第１面２１に設けられたＬＥＤ１と、基板２の第２面２２と接するように設けられた放熱部３と、基板２、ＬＥＤ１及び放熱部３を収容する筐体１０と、筐体１０において基板２の第１面２１から第２面２２に向かう方向の端部１６に設けられた口金８と、を含み、放熱部３は、基板２の第２面２２と接する第１接触面３２ａと、第１接触面３２ａよりも口金８に近づく方向に延出され、筐体１０と接するように設けられた第１延出部３１０と、を有する。
【００２７】
基板２は、第１面２１及び第１面２１の裏面となる第２面２２を有する。放熱性を高める観点からは、基板２は、熱伝導率の高い材料（例えば、金属材料や酸化金属材料など）で形成されていることが好ましい。本実施形態においては、基板２は、アルミニウムで形成されている。基板２には、表面に絶縁材料が塗布されていてもよい。これによって、基板２が導電性材料で形成されていても、ＬＥＤ１への配線などとの絶縁をとることができる。
【００２８】
ＬＥＤ１は、基板２の第１面２１に設けられている。ＬＥＤ１は、発光素子として機能する。ＬＥＤ１としては、種々の公知のＬＥＤを用いることができる。例えば、ＬＥＤ１として、白色光を発光するＬＥＤを用いてもよい。本実施形態においては、ＬＥＤ１は、照明用の白色光を発光する高輝度タイプのＬＥＤを用いている。
【００２９】
ＬＥＤランプ１００は、複数のＬＥＤ１を有していてもよい。図３に示される例では、３つのＬＥＤ１が基板２の第１面２１に設けられている。
【００３０】
筐体１０は、基板２、ＬＥＤ１及び放熱部３を収容する。本実施形態においては、筐体１０は、筒状に構成され、筐体１０の内部の収容部１１に基板２、ＬＥＤ１及び放熱部３が配置されるように構成されている。また、本実施形態においては、ＬＥＤランプ１００が電球形ランプであるため、筐体１０の基板２に平行な方向における断面は、基板２の第１面２１から第２面に向かう方向に向かって直径が小さくなる略円形の外形を有している。また、収容部１１は、略円柱状に構成されている。
【００３１】
また、筐体１０において基板２の第１面２１から第２面に向かう方向の端部１６には、口金８が設けられている。本実施形態においては、図４に示されるように、筐体１０の端部１６側にネジ山１５が設けられており、口金８はネジ山１５と螺合されて設けられている。
【００３２】
図１〜図３に示される例では、放熱部３は、互いに接するように設けられた第１放熱部３１と第２放熱部３２とを含んで構成されている。なお、放熱部３は、一体構成であってもよい。放熱部３を一体構成とすることによって熱伝導が容易になるため、より速やかに放熱できる。
【００３３】
放熱部３は、基板２の第２面２２と接するように設けられている。また、放熱部３は、基板２の第２面２２と接する第１接触面３２ａを有している。本実施形態においては、基板２の第２面２２と放熱部３の第１接触面３２ａとが密着するように構成されている。また、本実施形態においては、基板２の第２面２２と放熱部３の第１接触面３２ａとは、シリコーン系接着材によって接着されている。基板２の第２面２２と放熱部３の第１接触面３２ａとを密着させることによって、基板２と放熱部３との間の接触熱抵抗を下げることができる。
【００３４】
放熱部３は、第１接触面３２ａよりも口金８に近づく方向に延出され、筐体１０と接するように設けられた第１延出部３１０を有している。図１〜図３に示される例では、第１延出部３１０は、第１接触面３２ａに対して略垂直な方向に延出されている。なお、第１延出部３１０と第１接触面３２ａとの角度は垂直には限られず、適宜設定可能である。また、本実施形態においては、第１延出部３１０と筐体１０とが密着するように構成されている。図１に示される例では、第１延出部３１０と筐体１０に設けられた溝部１０ａとが嵌合するように構成されている。また、本実施形態においては、第１延出部３１０と筐体１０とは、シリコーン系接着材によって接着されている。第１延出部３１０と筐体１０とを密着させることによって、放熱部３と筐体１０との間の接触熱抵抗を下げることができる。
【００３５】
本実施形態に係るＬＥＤランプ１００によれば、ＬＥＤ１で発生した熱を、第１延出部３１０を介して筐体１０に拡散できるので、筐体１０を介して外部に放熱できる。特に、ＬＥＤランプ１００を照明として用いる場合における通常の使用形態である、口金８側が上となるような使用形態においては、熱が移動しやすい方向に第１延出部３１０が延びているので、放熱性の高いＬＥＤランプを実現できる。
【００３６】
放熱部３は、第１接触面３２ａの裏面側であって、口金８側から見て第１延出部３１よりも放熱部３の中心から遠い位置で筐体１０と接する第２接触面３２ｂを有していてもよい。本実施形態においては、第２接触面３２ｂは、筐体１０の内部に設けられた段部１４と接するように構成されている。第２接触面３２ｂを有することによって、放熱部３と筐体１０との接触面積が大きくなるので、より効果的に放熱できる。また、第１延出部３１０よりも放熱部３の中心から遠い位置で放熱部３と筐体１０とが接することによって、電球形ランプの形状により適した構造となる。
【００３７】
放熱部３は、第２接触面３２ｂよりも口金８から遠ざかる方向に延出された第２延出部３２０を有していてもよい。図１〜図３に示される例では、第２延出部３２０は、第２接触面３２ｂに対して略垂直な方向に延出されている。なお、第２延出部３２０と第２接触面３２ｂとの角度は垂直には限られず、適宜設定可能である。第２延出部３２０を有することによって、放熱部３の熱容量を大きくすることができるので、ＬＥＤ１で発生した熱を第２延出部３２０で蓄熱することができる。したがって、ＬＥＤ１の温度が上昇することを抑制できる。また、第２延出部３２０を口金８から遠ざかる方向に延出された構造とすることによって、電球形ランプの形状により適した構造となる。
【００３８】
放熱部３の第２延出部３２０は、筐体１０と密着するように構成されていてもよい。例えば、放熱部３の第２延出部３２０と筐体１０の内周部１４ａとが嵌合するように構成されていてもよい。また例えば、放熱部３の第２延出部３２０と筐体１０の内周部１４ａとがシリコーン系接着材によって接着されていてもよい。第２延出部３２０と筐体１０とを密着させることによって、放熱部３と筐体１０との間の接触熱抵抗を下げることができる。したがって、放熱部３の熱をより速やかに放熱することができる。
【００３９】
図１〜図３に示される例では、放熱部３は、第１板状部３１２と、第１板状部３１２の外周の少なくとも一部に設けられた第１延出部３０と、を有する第１放熱部３１と、第１接触面３２ａ及び第２接触面３２ｂを有し、第１板状部３１２と接するように設けられた第２板状部３２２と、第２板状部３２２の外周の少なくとも一部に設けられた第２延出部３２０と、を有する第２放熱部３２と、を含んで構成されている。このような構成によれば、第１放熱部３１及び第２放熱部３２をプレス加工によって容易に形成できるので、放熱部３をプレス加工によって容易に形成できる。
【００４０】
図１〜図３に示される例では、第１放熱部３１と第２放熱部３２とは、密着するように構成されている。また、図１〜図３に示される例では、第１放熱部３１と第２放熱部３２とは、シリコーン系接着材によって接着されている。第１放熱部３１と第２放熱部３２とを密着させることによって、第１放熱部３１と第２放熱部３２との間の接触熱抵抗を下げることができる。
【００４１】
図３に示される例では、口金８側から見た放熱部３の形状は、略円形に構成されている。これによって、電球形ランプの形状に適した構造となる。また、図３に示される例では、口金８側から見た第１放熱部３１及び第２放熱部３２の形状は、略円形に構成されている。これによって、電球形ランプの形状に適した構造となる。
【００４２】
放熱部３は、金属材料で形成されていてもよい。本実施形態においては、放熱部３は、アルミニウムで形成されている。金属材料で形成された放熱部３は熱伝導率が高いので、ＬＥＤ１から発生した熱を速やかに放熱できる。
【００４３】
本実施形態に係るＬＥＤランプ１００は、筐体１０に収容され、ＬＥＤ１に電力を供給する電源部６をさらに含んでいてもよい。また、筐体１０は、樹脂材料で形成されていてもよい。耐熱性の観点からは、樹脂材料としては、例えば、ポリブチレンテレフタレート樹脂やポリフェニレンサルファイド樹脂を用いることができる。また、放熱性の観点からは、樹脂材料としては、例えば、金属フィラーや酸化金属フィラーを混ぜて放熱性を高めた放熱性樹脂を用いることができる。
【００４４】
本実施形態においては、電源部６は、トランス、整流器、電解コンデンサー、ノイズフィルター等の電源回路を構成する電子部品が基板に半田付けされて構成されている。電源部６は、不図示の配線を介してＬＥＤ１と電気的に接続されている。また、本実施形態においては、電源部６は、筐体１０の収容部１１のうち放熱部３よりも口金８に近い側に収容されている。また、本実施形態においては、筐体１０の端部１６に近い側の収容部１１の端部は、電源部６の幅よりも径小に構成されている。これによって、電源部６が抜け落ちることを防止できる。
【００４５】
本実施形態によれば、樹脂材料で形成された筐体１０は熱伝導率が低いので、ＬＥＤ１で発生した熱が電源部６に伝わることを抑制できる。したがって、電源部６の温度が上昇することを抑制できる。
【００４６】
また、樹脂材料で形成された筐体１０は導電性が低いので、筐体１０と口金８との間の耐電圧を高めることができる。例えば、アルミニウムで形成された筐体１０と口金８との間に４ｍｍ程度の絶縁板を装入した場合に、筐体１０と口金８との間に流れる電流の電流値が０．５ｍＡ以下となる範囲で、筐体１０と口金８との間に印加できる最大電圧は２０００Ｖ程度であった。しかしながら、本実施形態において、ポリブチレンテレフタレート樹脂で形成された筐体１０と口金８との間に５０００Ｖの電圧を印加しても、筐体１０と口金８との間に流れる電流の電流値は０．５ｍＡを大きく下回った。
【００４７】
本実施形態において、放熱部３は、筐体１０の肉厚が最小となる部分と接していてもよい。図２に示される例では、筐体１０の溝部１０ａから筐体１０の外側面までの肉厚Ａが、筐体１０において最も薄い肉厚となるように構成されている。また、本実施形態においては、筐体１０の最小の肉厚Ａは１ｍｍとなっている。これによって、放熱部３の熱を、筐体１０の外周壁１４ｂを介して外部に放熱しやすくなるので、放熱性をさらに高めることができる。実験によれば、筐体１０の最小の肉厚を２．５ｍｍ以下とすることによって、特に放熱性を高めることができた。また、筐体１０を肉薄にすることによって、筐体１０を軽量化できる。
【００４８】
本実施形態において、図４に示されるように、筐体１０は、外側面に複数のフィン１２が形成されていてもよい。筐体１０に複数のフィン１２が形成されることによって筐体１０の外側面の表面積が大きくなるので、放熱性をさらに高めることができる。
【００４９】
本実施形態に係るＬＥＤランプ１００は、絶縁性の材料で形成されたキャップ５をさらに含んでいてもよい。本実施形態において、キャップ５は、放熱部３と電源部６との間に設けられている。キャップ５を設けることにより、放熱部３と電源部６との絶縁をとることができる。
【００５０】
本実施形態に係るＬＥＤランプ１００は、カバー７をさらに含んでいてもよい。カバー７は、筐体１０の口金８とは反対側の端部（筐体１０の端部１６とは反対側の端部）を覆うように設けられている。また、カバー７は、ＬＥＤ１が発する光に対して透過性の高い材料で形成されていることが好ましい。カバー７を設けることによって、ＬＥＤ１等の電子部品を保護することができる。本実施形態においては、筐体１０の段部１４よりも筐体１０の口金８とは反対側の端部（筐体１０の端部１６とは反対側の端部）に近い側に設けられた段部１３とカバー７とが嵌合するように構成されている。
【００５１】
２．本実施形態に係るＬＥＤランプの製造方法
図１〜図４を参照して、本実施形態に係るＬＥＤランプ１００の製造方法の一例について説明する。
【００５２】
まず、電源部６を筐体１０の収容部１１に挿入する。本実施形態においては、図１に示されるように、筐体１０の収容部１１の内部に、テーパー状に形成されたガイド部１７が設けられており、電源部６とガイド部１７とを嵌合させることによって、電源部６を筐体１０の収容部１１の中に係止させる。また、電源部６には、不図示の配線を介してＬＥＤ１が予め接続されていてもよい。
【００５３】
次に、電源部６の上にキャップ５を被せる。本実施形態においては、キャップ５と筐体１０の収容部１１の内壁面とを嵌合させることによって、キャップ５を筐体１０の収容部１１の中に係止させる。
【００５４】
次に、キャップ５の上に第１放熱部３１を被せる。本実施形態においては、筐体１０に設けられた溝部１０ａに、シリコーン系接着材とともに第１放熱部３１の第１延出部３１０を挿入させる、第１放熱部３１の第１延出部３１０と筐体１０とを密着させる。
【００５５】
次に、第１放熱部３１の上に第２放熱部３２を密着させる。本実施形態においては、第１放熱部３１の上面３１ａにシリコーン系接着材を塗布して、第１放熱部３１と第２放熱部３２とを接着させる。
【００５６】
次に、第２放熱部３２の上に基板２を載置する。本実施形態においては、基板２を第２放熱部３２及び筐体１０にビス９でネジ止めすることによって、基板２を固定する。
【００５７】
次に、第２放熱部３２の第２延出部３２０と筐体１０との間にシリコーン系接着材を塗布して、第２放熱部３２と筐体１０とを密着させるとともに、カバー７を筐体１０に固着させる。
【００５８】
次に、筐体１０のネジ山１５に口金８を螺合させることによって口金８を筐体１０に固定させる。
【００５９】
これらの手順により、本実施形態に係るＬＥＤランプ１００を容易に組み立てることができる。
【００６０】
３．実験例
次に、本実施形態に係るＬＥＤランプ１００の効果の１つを示す実験例について説明する。
【００６１】
まず、実施例として、本実施形態に係るＬＥＤランプ１００を用意した。実験に用いたＬＥＤランプ１００においては、筐体１０はポリブチレンテレフタレート樹脂で形成されており、放熱部３はアルミニウムで形成されている。他の構成は、図１〜図４を用いて説明した構成と同様である。
【００６２】
次に、比較例として、特開２０１０−４０２２１号公報に示されている電球形ランプから冷却用のファンを省いた構成の電球形ランプを用意した。実験に用いた電球形ランプにおいては、放熱体（本実施形態における筐体１０に相当する構成）はポリブチレンテレフタレート樹脂で形成されている。また、ＬＥＤとしては実施例に係るＬＥＤランプ１００と同一の仕様の素子を用いた。すなわち、比較例における電球形ランプは、本実施形態におけるＬＥＤランプ１００から放熱部３を省いた構成に相当する。
【００６３】
本実験においては、実施例に係るＬＥＤランプと、比較例に係る電球形ランプとをそれぞれ点灯させた状態で、ＬＥＤの温度の時間変化を測定した。
【００６４】
図５は、実施例及び比較例におけるＬＥＤの温度の時間変化を示すグラフである。横軸は点灯開始からの時間、縦軸は温度を表す。
【００６５】
実施例においては、点灯開始から６０分経過後においても、ＬＥＤの寿命が４万時間以上となることが保証されている温度（使用限界温度）を下回った。一方、比較例においては、点灯開始から３０分程度経過すると使用限界温度を上回った。
【００６６】
本実験によって、本実施形態に係るＬＥＤランプ１００は、比較例に対して高い放熱性を示していることが確認できた。
【００６７】
このように、本実施形態に係るＬＥＤランプ１００は、冷却用のファンを設けることなく、熱伝導率の低い樹脂材料で筐体１０を形成しても高い放熱性を有している。したがって、安価に構成できるＬＥＤランプを実現できる。
【００６８】
なお、上述した実施形態及び変形例は一例であって、これらに限定されるわけではない。例えば各実施形態及び各変形例は、複数を適宜組み合わせることが可能である。
【００６９】
本発明は、上述した実施形態に限定されるものではなく、さらに種々の変形が可能である。例えば、本発明は、実施形態で説明した構成と実質的に同一の構成（例えば、機能、方法及び結果が同一の構成、あるいは目的及び効果が同一の構成）を含む。また、本発明は、実施形態で説明した構成の本質的でない部分を置き換えた構成を含む。また、本発明は、実施形態で説明した構成と同一の作用効果を奏する構成又は同一の目的を達成することができる構成を含む。また、本発明は、実施形態で説明した構成に公知技術を付加した構成を含む。
【符号の説明】
【００７０】
１  ＬＥＤ、２  基板、３  放熱部、４ｂ  第１延出部、５  キャップ、６  電源部、７  カバー、８  口金、９  ビス、１０  筐体、１０ａ  溝部、１１  収容部、１２  フィン、１３  段部、１４  段部、１４ａ  内周部、１４ｂ  外周壁、１５  ネジ山、１６  端部、２１  第１面、２２  第２面、３１  第１放熱部、３１ａ  上面、３２  第２放熱部、３２ａ  第１接触面、３２ｂ  第２接触面、１００  ＬＥＤランプ、３１０  第１延出部、３１２  第１板状部、３２０  第２延出部、３２２  第２板状部
【図１】
0005427294.tif 000002
【図２】
0005427294.tif 000003
【図３】
0005427294.tif 000004
【図４】
0005427294.tif 000005
【図５】
0005427294.tif 000006